(57)【特許請求の範囲】
【請求項１】
楽曲データからなる音声データの再生制御を行う再生制御装置であって、
前記音声データの配信サービスを利用可能な情報端末に所望の音声データを受信させるための受信指示を行う受信指示部と、
前記受信指示部の指示にしたがって前記情報端末に受信命令を出力すると共に、前記情報端末を介して前記所望の音声データを取得する通信部と、
前記通信部により取得した前記所望の音声データの再生制御を行う再生制御部と、
前記音声データの再生操作を行う複数の再生操作部と、を備え、
前記通信部は、複数の前記情報端末と同時に通信可能であり、
前記受信指示部は、前記情報端末の端末ＩＤを指定して受信指示を行い、前記再生操作部ごとに前記端末ＩＤを指定して受信指示を行い、前記音声データの再生終了をトリガーとして、どの再生操作部がどの端末ＩＤを使用するかを選択する選択画面を表示画面に表示し、ユーザーに選択操作を促すことを特徴とすることを特徴とする再生制御装置。
【請求項２】
楽曲データからなる音声データの再生制御を行う再生制御装置であって、
前記音声データの配信サービスを利用可能な情報端末に所望の音声データを受信させるための受信指示を行う受信指示部と、
前記受信指示部の指示にしたがって前記情報端末に受信命令を出力すると共に、前記情
報端末を介して前記所望の音声データを取得する通信部と、
前記通信部により取得した前記所望の音声データの再生制御を行う再生制御部と、
前記音声データの再生操作を行う複数の再生操作部と、を備え、
前記音声データの配信サービスは、個人ＩＤを必要とするものであり、
前記受信指示部は、前記個人ＩＤを指定して前記情報端末に受信指示を行い、前記再生操作部ごとに前記個人ＩＤを指定して受信指示を行い、前記音声データの再生終了をトリガーとして、どの再生操作部がどの個人ＩＤを使用するかを選択する選択画面を表示画面に表示し、ユーザーに選択操作を促すことを特徴とする再生制御装置。
【請求項３】
楽曲データからなる音声データの再生制御を行う再生制御装置の制御方法であって、
前記音声データの配信サービスを利用可能な情報端末に所望の音声データを受信させるための受信指示を行う受信指示ステップと、
前記受信指示ステップの指示にしたがって前記情報端末に受信命令を出力すると共に、前記情報端末を介して前記所望の音声データを取得する通信ステップと、
前記通信ステップにて取得した前記所望の音声データの再生制御を行う再生制御ステップと、
前記音声データの再生操作を複数の再生操作部で行う再生操作ステップと、を実行し、
前記通信ステップは、複数の前記情報端末と同時に通信し、
前記受信指示ステップは、前記情報端末の端末ＩＤを指定して受信指示を行い、前記再生操作部ごとに前記端末ＩＤを指定して受信指示を行い、前記音声データの再生終了をトリガーとして、どの再生操作部がどの端末ＩＤを使用するかを選択する選択画面を表示画面に表示し、ユーザーに選択操作を促すことを特徴とする再生制御装置の制御方法。
【請求項４】
コンピューターに、請求項３に記載の再生制御装置の制御方法における各ステップを実行させるためのプログラム。
【発明の詳細な説明】
【技術分野】
【０００１】
本発明は、音声データの再生制御を行う再生制御装置、再生制御装置の制御方法およびプログラムに関する。
【背景技術】
【０００２】
近年、パーソナルコンピューター、スマートフォン、携帯端末等の端末において、楽曲や映像の配信サービスが広く利用されている（例えば、特許文献１）。このようなサービスを利用するためには、一般的に利用登録（会員登録）を行い個人ＩＤとパスワードを登録する。そして、サービスを利用する際は、個人ＩＤとパスワードを入力して個人認証を行うことで楽曲等の受信が可能となる。
【０００３】
ところで、近年クラブ等でも、このような楽曲配信サービスを利用したいといったニーズがある。そこで、ＤＪ機器（ＤＪプレーヤー、ＤＪミキサー、ＤＪプレーヤー・ミキサー一体型装置、ＤＪコントローラーなど）に、楽曲配信サービスを利用するための機能（ネットワーク接続機能、楽曲配信サービスアプリケーションの操作画面やＷｅｂページを表示するための表示画面など）を搭載することが考えられる。
【先行技術文献】
【特許文献】
【０００４】
【特許文献１】特開２００９−０１５３７９号公報
【発明の概要】
【発明が解決しようとする課題】
【０００５】
ところがクラブ等では、複数のＤＪ（Disk  Jockey）によってＤＪ機器を共有利用することが多い。このため、ＤＪ機器で配信サービスを利用しようとすると、各ＤＪは自分の演奏前に、サービスを利用するための個人認証操作（個人ＩＤとパスワードの入力）を行う必要がある。ところが、このような個人認証操作は、これから演奏を行おうとするＤＪにとって非常に煩わしい。
【０００６】
本発明は、上記の問題点に鑑み、複数人で再生制御装置を共有利用する場合において、各ユーザーが手軽に音声データの配信サービスを利用可能な再生制御装置、再生制御装置の制御方法およびプログラムを提供することを目的とする。
【課題を解決するための手段】
【０００７】
本発明の再生制御装置は、音声データの再生制御を行う再生制御装置であって、音声データの配信サービスを利用可能な情報端末に所望の音声データを受信させるための受信指示を行う受信指示部と、受信指示部の指示にしたがって情報端末に受信命令を出力すると共に、情報端末を介して所望の音声データを取得する通信部と、通信部により取得した所望の音声データの再生制御を行う再生制御部と、を備えることを特徴とする。
【０００８】
上記の再生制御装置において、通信部は、複数の情報端末と同時に通信可能であり、受信指示部は、情報端末の端末ＩＤを指定して受信指示を行うことを特徴とする。
【０００９】
上記の再生制御装置において、音声データの再生操作を行う再生操作部を複数備え、受信指示部は、再生操作部ごとに端末ＩＤを指定して受信指示を行うことを特徴とする。
【００１０】
上記の再生制御装置において、音声データは、楽曲データであり、受信指示部は、楽曲データの再生終了をトリガーとして、どの再生操作部がどの端末ＩＤを使用するかを選択する選択画面を表示画面に表示し、ユーザーに選択操作を促すことを特徴とする。
【００１１】
上記の再生制御装置において、音声データの配信サービスは、個人ＩＤを必要とするものであり、受信指示部は、個人ＩＤを指定して情報端末に受信指示を行うことを特徴とする。
【００１２】
上記の再生制御装置において、音声データの再生操作を行う再生操作部を複数備え、受信指示部は、再生操作部ごとに個人ＩＤを指定して受信指示を行うことを特徴とする。
【００１３】
上記の再生制御装置において、音声データは、楽曲データであり、受信指示部は、楽曲データの再生終了をトリガーとして、どの再生操作部がどの個人ＩＤを使用するかを選択する選択画面を表示画面に表示し、ユーザーに選択操作を促すことを特徴とする。
【００１４】
本発明の再生制御装置の制御方法は、音声データの再生制御を行う再生制御装置の制御方法であって、音声データの配信サービスを利用可能な情報端末に所望の音声データを受信させるための受信指示を行う受信指示ステップと、受信指示ステップの指示にしたがって情報端末に受信命令を出力すると共に、情報端末を介して所望の音声データを取得する通信ステップと、通信ステップにて取得した所望の音声データの再生制御を行う再生制御ステップと、を実行することを特徴とする。
【００１５】
本発明のプログラムは、コンピューターに、上記の再生制御装置の制御方法における各ステップを実行させることを特徴とする。
【図面の簡単な説明】
【００１６】
【図１】再生システムのシステム構成を示すブロック図である。
【図２】ＤＪ機器の平面図である。
【図３】第１実施形態に係るＤＪ機器の機能構成を示すブロック図である。
【図４】第１実施形態に係るＤＪ機器の楽曲データ受信処理を示すフローチャートである。
【図５】第１実施形態に係る選択画面の一例を示す図である。
【図６】変形例１に係るＤＪ機器の楽曲データ受信処理を示すフローチャートである。
【図７】変形例１に係る選択画面の一例を示す図である。
【図８】変形例２に係る選択画面の一例を示す図である。
【図９】第２実施形態に係る選択画面の一例を示す図である。
【発明を実施するための形態】
【００１７】
［第１実施形態］
以下、本発明の一実施形態に係る再生制御装置、再生制御装置の制御方法およびプログラムについて、添付図面を参照しながら詳細に説明する。本実施形態では、本発明の再生制御装置を、ＤＪ機器１に適用した場合について例示する。
【００１８】
図１は、再生システムＳＹのシステム構成を示すブロック図である。再生システムＳＹは、クラブ等に設置されているＤＪ機器１と、各ＤＪが所有する情報端末２と、楽曲データ（音声データ）を配信する楽曲データ配信サーバー３と、から成る。本実施形態では、ＤＪ機器１として、２台のデッキ（ＤＪプレーヤー）とＤＪミキサーが一体となった一体型装置を例示する。また、情報端末２は、ＤＪがＤＪプレイを行う際ＤＪブースに持ち込むものであり、ＤＪ機器１に対し楽曲データを提供するために用いる。
【００１９】
ＤＪ機器１は、制御機構１１、操作子群１２、表示画面１３、記憶部１４、音声出力部１５および近距離無線通信インターフェース（以下、「近距離無線通信Ｉ／Ｆ」と表記する）１６を備える。
【００２０】
制御機構１１は、ＣＰＵ（Central  Processing  Unit）、ＲＯＭ（Read  Only  Memory）およびＲＡＭ（Random  Access  Memory）を含み、ＤＪ機器１を統括的に制御する。また、制御機構１１は、ＤＳＰ（Digital  Signal  Processor）を含み、各種音声処理を行う。操作子群１２は、ＤＪプレイに関する各種操作を行う。ＤＪプレイとは、楽曲のサーチ・選択・ミックス再生およびＤＪエフェクトの設定・操作などを指す。
【００２１】
表示画面１３は、ＤＪが所望の楽曲を選択するための楽曲リストや、選択した楽曲（デッキにロードされている楽曲）に関する楽曲情報（楽曲タイトル、再生時間、音声波形、ＢＰＭなど）をはじめ、各種情報を表示する。
【００２２】
記憶部１４は、各種制御プログラムおよび制御データを不揮発に記憶する。本実施形態では、制御プログラムとして、端末連携プログラムおよび再生制御プログラムを記憶する。端末連携プログラムは、情報端末２と連携して楽曲配信サービスを利用するためのプログラムである。このプログラムを用いて情報端末２と連携することにより、情報端末２で利用可能な楽曲配信サービスをＤＪ機器１でも利用可能となる。つまり、ＤＪ機器１は、楽曲データ配信サーバー３と通信するためのネットワーク通信機能（Ｗｅｂブラウザー）が不要であり、楽曲配信サービスを利用するための専用アプリケーションを搭載する必要がない。また、ユーザーは、ＤＪ機器１側で楽曲配信サービスを利用する際の利用登録および個人認証操作を行う必要がない。一方、再生制御プログラムは、操作子群１２の操作に基づいて楽曲データの再生制御を行うためのプログラムである。
【００２３】
音声出力部１５は、不図示のスピーカーやヘッドホンに対し、楽曲データの再生信号を出力する。近距離無線通信Ｉ／Ｆ１６は、情報端末２と近距離無線通信を行うためのインターフェースである。ここでは、近距離無線通信としてブルートゥース通信（登録商標）を用いることを想定しているが、赤外線通信、Ｗｉ−Ｆｉ通信（登録商標）、またはケーブル等を介した有線通信により情報の入出力を行っても良い。本実施形態において近距離無線通信Ｉ／Ｆ１６は、主に情報端末２に対し楽曲データの受信命令を出力したり楽曲データを取得したりするために用いる。
【００２４】
情報端末２は、制御機構２１、タッチパネル２２、近距離無線通信Ｉ／Ｆ２３、記憶部２４およびネットワーク通信Ｉ／Ｆ２５を備える。情報端末２としては、スマートフォンなど各種タブレット端末、携帯電話、ノート型パソコンなどを用いる。
【００２５】
制御機構２１は、ＣＰＵ、ＲＯＭおよびＲＡＭを含み、情報端末２を統括的に制御する。タッチパネル２２は、各種情報の表示および各種操作に用いられる。近距離無線通信Ｉ／Ｆ２３は、ＤＪ機器１（近距離無線通信Ｉ／Ｆ１６）と近距離無線通信を行う。記憶部２４は、各種制御プログラムおよび制御データを不揮発に記憶する。本実施形態では、制御プログラムとして楽曲配信サービスアプリケーションを記憶する。
【００２６】
楽曲配信サービスアプリケーションは、楽曲データ配信サーバー３による楽曲配信サービスを利用するためのアプリケーションである。ＤＪ（ユーザー）は、楽曲配信サービスアプリケーションを情報端末２にインストールした後、利用登録（会員登録）を行い個人ＩＤとパスワードを登録する。また、ＤＪ機器１との連携動作前に、個人ＩＤとパスワードの入力、およびＤＪ機器１との通信を許可するための設定を行っておく。なお、楽曲配信サービスによっては、アプリケーションのインストールを必要としない場合もある。この場合は、Ｗｅｂブラウザーを用いて楽曲配信サービスを利用するための設定を行う。
【００２７】
ネットワーク通信Ｉ／Ｆ２５は、楽曲データ配信サーバー３とネットワーク通信を行う。本実施形態では、ネットワークとしてインターネットを想定している。つまり、ネットワーク通信Ｉ／Ｆ２５は、公衆回線網を介してインターネットに接続し、インターネット上の楽曲データ配信サーバー３と通信を行う。
【００２８】
楽曲データ配信サーバー３は、楽曲データベース３１およびネットワーク通信Ｉ／Ｆ３２を備える。楽曲データベース３１は、多数の楽曲データおよびその楽曲リストを記憶する。ネットワーク通信Ｉ／Ｆ３２は、情報端末２とインターネットを介した通信を行う。
【００２９】
次に、図２を参照し、ＤＪ機器１に搭載されたユーザーインターフェースについて説明する。ＤＪ機器１は、左右２つのデッキ部４１ａ，４１ｂと、その中間に設けられたミキサー部４２と、を備える。各デッキ部４１ａ，４１ｂの上部には、表示画面１３が設けられている。表示画面１３は、情報端末２との連携についてＤＪに選択操作を促すための選択画面Ｄａ，Ｄｂを表示する。また、各デッキ部４１ａ，４１ｂの中央には、楽曲のサーチや、スクラッチ・バックスピンなどの操作を行うためのジョグダイヤル１２−１が設けられ、その下部には、ＤＪエフェクトをコントロールするための操作パッド１２−２などが設けられている。
【００３０】
一方、ミキサー部４２は、複数のチャンネル（同図では、４チャンネル）に対応しており、中央から上部にかけて、イコライザーやチャンネルフェーダーなどのチャンネル別操作子群１２−３が設けられ、その下部には、各デッキにロードされた楽曲の混合割合を調節するためのクロスフェーダー１２−４などが設けられている。
【００３１】
次に、図３を参照し、ＤＪ機器１の機能構成について説明する。ＤＪ機器１は、主な機能構成として、受信指示部１１０、通信部１２０、再生操作部１３０および再生制御部１４０を備える。同図では、第１情報端末２とＡデッキを連携し、第２情報端末２とＢデッキを連携する場合を例示している。
【００３２】
受信指示部１１０は、第１受信指示部１１１および第２受信指示部１１２を含み、楽曲配信サービス（音声データの配信サービス）を利用可能な情報端末２に所望の楽曲データを受信させるための受信指示を行う。第１受信指示部１１１は、Ａデッキ部４１ａに設けられた操作子を用いて楽曲データのサーチ・選択・受信指示を行う。また、第２受信指示部１１２は、Ｂデッキ部４１ｂに設けられた操作子を用いて楽曲データのサーチ・選択・受信指示を行う。なお、第１受信指示部１１１および第２受信指示部１１２は、それぞれ連携させる情報端末２の端末ＩＤを指定して受信指示を行う。本実施形態では、通信確立時に端末ＩＤとその連携対象となるデッキとを対応付けて所定の記憶領域に記憶しておき、受信指示時に、記憶されている端末ＩＤを指定して受信指示を行う。
【００３３】
通信部１２０は、受信指示部１１０の指示にしたがって情報端末２に受信命令を出力する。受信命令には、情報端末２を指定する端末ＩＤと楽曲を指定する楽曲ＩＤが含まれる。情報端末２は、当該受信命令にしたがって、楽曲データ配信サーバー３から指定された楽曲データを受信する。通信部１２０は、楽曲データ配信サーバー３から配信された楽曲データを、情報端末２を介して取得する。
【００３４】
再生操作部１３０は、第１再生操作部１３１および第２再生操作部１３２を含む。第１再生操作部１３１は、Ａデッキ部４１ａの操作子を指し、Ａデッキにロードされた楽曲データの再生操作を行う。また、第２再生操作部１３２は、Ｂデッキ部４１ｂの操作子を指し、Ｂデッキにロードされた楽曲データの再生操作を行う。
【００３５】
再生制御部１４０は、第１再生制御部１４１および第２再生制御部１４２を含む。第１再生制御部１４１は、第１受信指示部１１１の受信命令にしたがってＡデッキにロードされた楽曲データの再生制御を行う。また、第２再生制御部１４２は、第２受信指示部１１２の受信命令にしたがってＢデッキにロードされた楽曲データの再生制御を行う。なお、再生制御部１４０は、情報端末２との通信が解除された場合、その情報端末２とデッキとの連携を解除する。したがって、受信指示部１１０は、情報端末２との通信が解除された場合、再度情報端末２とデッキとの対応付けが必要となる。
【００３６】
次に、図４のフローチャートを参照し、第１実施形態に係るＤＪ機器１の楽曲データ受信処理の流れを説明する。ＤＪ機器１（制御機構１１）は、情報端末２との通信を確立すると（Ｓ０１：Ｙｅｓ）、図５に示す選択画面を表示する（Ｓ０２）。同図（ａ）は、Ａデッキ部４１ａの表示画面１３に表示する選択画面Ｄａであり、同図（ｂ）は、Ｂデッキ部４１ｂの表示画面１３に表示する選択画面Ｄｂである。これらの選択画面Ｄａまたは選択画面Ｄｂにおいて、ＤＪにより連携することが選択されると（選択画面Ｄａまたは選択画面Ｄｂで「Ｙｅｓ」が選択されると，Ｓ０３：Ｙｅｓ）、対象となるデッキと対応付けて端末ＩＤを記憶し、さらに当該端末ＩＤの情報端末２から楽曲リストを取得する（Ｓ０４）。なお、楽曲リストは、ＤＪ機器１との通信前に予め情報端末２が受信して情報端末２内に記憶しておいても良いし、ＤＪ機器１が連携選択操作に伴って情報端末２に楽曲リスト受信命令を送信し、楽曲データ配信サーバー３から送信された楽曲リストを、当該情報端末２を介して受信する構成でも良い。また、図４のフローチャートには特に図示しないが、ＤＪ機器１において楽曲リスト取得操作が行われたときにも、情報端末２に楽曲リスト受信命令を送信する。
【００３７】
その後、ＤＪ機器１の各デッキ部４１ａ，４１ｂの操作により楽曲の選択および受信指示が行われると（Ｓ０５：Ｙｓｓ）、ＤＪ機器１は、受信指示を行ったデッキと対応付けて記憶されている端末ＩＤの情報端末２に対し、受信命令を出力する（所望の楽曲の楽曲ＩＤを出力する，Ｓ０６）。受信命令を取得した情報端末２は、楽曲データ配信サーバー３に対し、予め設定されている個人ＩＤおよびパスワードを用いて配信依頼を行う。情報端末２は、当該配信依頼により楽曲データを受信すると、通信状態なっている（連携状態にある）ＤＪ機器１に対し、端末ＩＤと共に楽曲データを出力する。ＤＪ機器１は、情報端末２から楽曲データを取得すると（Ｓ０７）、端末ＩＤと対応付けられている対象デッキに楽曲データをロードする（Ｓ０８）。なお、楽曲データをロードするのではなく、対象デッキから読み出し可能な所定の記憶領域に楽曲データを格納する構成でも良い。また、Ｓ０１：Ｎｏの場合は、Ｓ０２〜Ｓ０４を省略し、Ｓ０３：Ｎｏ，Ｓ０５：Ｎｏ，Ｓ０８の後は、Ｓ０１に戻る。
【００３８】
以上説明したとおり、本実施形態によれば、ＤＪ機器１から情報端末２に対して受信命令を行うことで、情報端末２の楽曲配信サービスを利用することができる。これにより、クラブ等においてＤＪ機器１を共有で用いる場合であっても、ＤＪが自分の所有物である情報端末２（楽曲配信サービスアプリケーションにて個人認証操作を済ませ、ＤＪ機器１との通信を許可した状態の情報端末２）を、ＤＪ機器１が設置してあるブース内に持ち込むことで、ＤＪ機器１により個人認証操作を行うことなく楽曲配信サービスを利用することができる。また、各デッキから端末ＩＤを指定して受信命令を行うことができるため、複数のＤＪが交代しながらＤＪプレイを行う場合に便利である。
【００３９】
なお、以下の変形例を採用可能である。
［変形例１］
上記の実施形態においてＤＪ機器１は、情報端末２と通信を確立するたびに選択画面Ｄａ，Ｄｂを表示したが、楽曲の再生終了をトリガーとして選択画面Ｄａ，Ｄｂを表示しても良い。図６は、変形例１に係るＤＪ機器の楽曲データ受信処理を示すフローチャートである。本変形例においてＤＪ機器１（制御機構１１）は、楽曲再生中に情報端末２との通信を確立すると（Ｓ１１：Ｙｅｓ）、楽曲の終了前に（例えば、楽曲の再生終了の数秒前に，Ｓ１２：Ｙｅｓ）、そのデッキ（対象デッキ）の表示画面１３に選択画面Ｄａまたは選択画面Ｄｂを表示する（Ｓ１３）。ここで、対象デッキの操作により連携選択操作が行われると（図４（ａ），（ｂ）に示す選択画面Ｄａ，Ｄｂで「Ｙｅｓ」が選択されると，Ｓ１４：Ｙｅｓ）、対象デッキと対応付けて端末ＩＤを記憶し、さらに当該端末ＩＤの情報端末２から楽曲リストを取得する（Ｓ１５）。なお、Ｓ１６〜Ｓ１９は、図４のＳ０５〜Ｓ０８と同様であるため説明を省略する。このように、変形例１によれば、楽曲の終了に伴って選択画面Ｄａ，Ｄｂを表示するため、ＤＪプレイを妨げることがない。また、一方のデッキで連携が許可された場合、連携が許可された端末ＩＤについての選択画面Ｄａまたは選択画面Ｄｂを他方のデッキに表示させないことにより、他方のデッキを操作するＤＪにより、誤って自分の情報端末２と連携設定が行われることを防止できる。
【００４０】
なお、変形例１では、選択画面Ｄａまたは選択画面Ｄｂの表示タイミングにおいて、複数の情報端末２と通信が確立されている場合、図７（ａ），（ｂ）に示す選択画面Ｄａまたは選択画面Ｄｂを表示する。つまり、各デッキにおいて、連携する情報端末２の端末ＩＤをユーザーに選択させるための選択画面Ｄａまたは選択画面Ｄｂを表示する。また、上記の実施形態でも、ＤＪ機器１の電源ＯＮ時において複数の情報端末２と通信が確立されている場合、または同時に複数の情報端末２と通信が確立された場合、図７（ａ），（ｂ）に示す選択画面Ｄａまたは選択画面Ｄｂを表示する。
【００４１】
［変形例２］
また、上記の実施形態では、各デッキに表示画面１３が設けられているＤＪ機器１を例示したが、表示画面１３が１つしか設けられていない場合は、選択画面Ｄａまたは選択画面Ｄｂの表示タイミングにおいて、図８に示すように、連携する対象デッキをユーザーに選択させるための共通選択画面Ｄ０を表示することが好ましい。また、複数の情報端末２と通信が確立されている場合は、どのデッキがどの情報端末２の端末ＩＤを使用するかをユーザーに選択させるための共通選択画面Ｄ０（図示省略）を表示することが好ましい。
【００４２】
［その他の変形例］
また、上記の実施形態では、デッキと端末ＩＤの対応付けをＤＪ機器１側で設定したが、情報端末２側で指定しても良い。この場合、指定されたデッキの表示画面１３に選択画面Ｄａまたは選択画面Ｄｂを表示し、指定されていないデッキの表示画面１３には表示しない。
【００４３】
また、各デッキと情報端末２をケーブルやコネクタなどで物理的に接続可能とし、接続されたデッキの表示画面１３に選択画面Ｄａまたは選択画面Ｄｂを表示し、接続されていないデッキの表示画面１３には表示しない構成としても良い。
【００４４】
また、上記の実施形態では、２つのデッキを備えたＤＪ機器１を例示したが、１つのデッキのみを備えた構成であっても良いし３つ以上のデッキを備えた構成であっても良い。
【００４５】
また、上記の実施形態では、楽曲配信サービスを利用するための個人ＩＤおよびパスワードを情報端末２内に記憶しておくものとしたが、ＤＪ機器１側で入力・設定し、受信指示時に楽曲ＩＤと共に情報端末２に出力する構成としても良い。
【００４６】
また、上記の実施形態では、通信確立時に端末ＩＤとその連携対象となるデッキとを対応付けて所定の記憶領域に記憶しておき、受信指示時を行う際に記憶されている端末ＩＤを指定するものとしたが、受信指示ごとに、端末ＩＤを指定する構成としても良い。この構成によれば、一人のＤＪが必要に応じて２台の情報端末２を使い分けることが可能となる。
【００４７】
［第２実施形態］
次に、図９を参照し、本発明の第２実施形態について説明する。上記の第１実施形態では、情報端末２の端末ＩＤを指定して楽曲データの受信指示を行ったが、本実施形態では、楽曲配信サービスを利用するための個人ＩＤを指定して楽曲データの受信指示を行う。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４８】
第２実施形態に係るＤＪ機器１の機能構成は、第１実施形態の構成（図３参照）と同様である。但し、本実施形態の受信指示部１１０（第１受信指示部１１０および第２受信指示部１１２）は、デッキ（再生操作部１３０）ごとに個人ＩＤを指定して受信指示を行う。また、本実施形態の通信部１２０は、１台の情報端末２と通信を行う。また、情報端末２にインストールされている楽曲配信サービスアプリケーションは、複数の個人ＩＤとパスワードを登録可能となっている。つまり、ＡデッキとＢデッキの両方が同じ情報端末２（楽曲配信サービスアプリケーション）と通信し、異なる個人ＩＤを指定して楽曲配信サービスを利用できるようになっている。
【００４９】
第２実施形態に係るＤＪ機器１の楽曲データ受信処理の流れも、第１実施形態のフロー（図４参照）と略同様である。異なる点は、Ｓ０２の「選択画面表示」工程にて表示する選択画面Ｄａ，Ｄｂにおいて、個人ＩＤを選択することである（図９（ａ），（ｂ）参照）。また、Ｓ０４では、端末ＩＤに代えて個人ＩＤを記憶し、Ｓ０６の「受信命令出力」工程では、所望の楽曲の楽曲ＩＤと共に個人ＩＤを出力する。
【００５０】
このように、第２実施形態によれば、個人ＩＤを指定して受信指示を行うため、１台の情報端末２（共通の楽曲配信サービスアプリケーション）をＡデッキとＢデッキで使用することができる。
【００５１】
なお、第１実施形態と第２実施形態を組み合わせても良い。つまり、端末ＩＤと個人ＩＤの両方を指定して受信指示を行っても良い。また、１台の情報端末２に複数の異なる楽曲配信サービスアプリケーションがインストールされている場合は、さらにアプリケーション（サービス）を指定して受信指示を行っても良い。
【００５２】
以上、２つの実施形態および各変形例を示したが、これらに示した再生システムＳＹ（ＤＪ機器１）の各構成要素をプログラムとして提供することが可能である。また、そのプログラムを各種記録媒体（ＣＤ−ＲＯＭ、フラッシュメモリー等）に格納して提供することも可能である。すなわち、コンピューターを再生システムＳＹ（ＤＪ機器１）の各構成要素として機能させるためのプログラム、およびそれを記録した記録媒体も、本発明の権利範囲に含まれる。
【００５３】
また、上記の実施形態では、本発明の再生制御装置をＤＪプレーヤーとミキサーの一体型装置に適用した場合を例示したが、ＤＪプレーヤー、ＤＪミキサー、ＤＪコントローラーなど他のＤＪ機器に適用しても良い。また、ＤＪ機器に限らず、他の再生装置、電子楽器、情報端末（コンピューター，ＰＣアプリケーション，タブレット端末用アプリケーションなど）に適用しても良い。また、楽曲データの再生制御のみならず、その他の音声データ（ＳＥ、ループ音源など）の再生制御を行う装置にも、本発明を適用可能である。その他、本発明の要旨を逸脱しない範囲で、適宜変更が可能である。
【符号の説明】
【００５４】
１：ＤＪ機器  ２：情報端末  ３：楽曲データ配信サーバー  １１：制御機構  １２：操作子群  １３：表示画面  １４：記憶部  １５：音声出力部  １６：近距離無線通信Ｉ／Ｆ  ２１：制御機構  ２２：タッチパネル  ２３：近距離無線通信Ｉ／Ｆ  ２４：記憶部  ２５：ネットワーク通信Ｉ／Ｆ  ３１：楽曲データベース  ３２：ネットワーク通信Ｉ／Ｆ  ４１：デッキ部  ４２：ミキサー部  １１０：受信指示部  １２０：通信部  １３０：再生操作部  １４０：再生制御部  Ｄａ，Ｄｂ，Ｄ０：選択画面  ＳＹ：再生システム
【図１】
0006457770.tif 000002
【図２】
0006457770.tif 000003
【図３】
0006457770.tif 000004
【図４】
0006457770.tif 000005
【図５】
0006457770.tif 000006
【図６】
0006457770.tif 000007
【図７】
0006457770.tif 000008
【図８】
0006457770.tif 000009
【図９】
0006457770.tif 000010